(57)【要約】【課題】子供が遊びに使用する遊具で、パネルの表裏両面の対向する位置にホールド部を設けたクライミング遊具に関する。【解決手段】設置面に立設されたスタンドに取り付けられたパネルと、該パネルに複数配置されてパネルに固定され遊戯者の手または足を掛止めるホールド部とからなるクライミング遊具において、ホールド部が、パネルを挟んで表裏で対向する位置に配置され、パネルを貫通する固定具により共締めされた一対のホールド部からなっていることを特徴とする。【選択図】図１
2015084873.tif 000002
【特許請求の範囲】
【請求項１】
設置面に立設されたスタンドに取り付けられたパネルと、該パネルに複数配置されてパネルに固定され遊戯者の手または足を掛止めるホールド部とからなるクライミング遊具において、
ホールド部が、パネルを挟んで表裏で対向する位置に配置され、パネルを貫通する固定具により共締めされた一対のホールド部からなっていることを特徴とするクライミング遊具。
【請求項２】
一対のホールド部は、少なくともパネルに接する面が同一形状に形成されており、各ホールド部は、その上面が、パネル側となる内側が窪み外側が上方へ隆起する形状になっていることを特徴とする請求項１に記載のクライミング遊具。
【請求項３】
パネルが透明または半透明からなっていることを特徴とする請求項１に記載のクライミング遊具。
【請求項４】
スタンドが、左右一対の支柱部と、該支柱部の上方に掛け渡された上方横架部と、前記支柱部の下方に掛け渡された下方横架部とからなっており、前記左右一対の支柱部と上方横架部と下方横架部とによって形成された枠体にブラケットを介してパネル本体が固着されていることを特徴とする請求項１から３のいずれかに記載のクライミング遊具。
【発明の詳細な説明】
【技術分野】
【０００１】
本発明は、幼児や児童などの子供が遊びに使用する遊具で、パネルの表裏両面の対向する位置にホールド部を設けたクライミング遊具に関するものである。
【背景技術】
【０００２】
従来、特開２００４−１６６８５１号のフリークライミング用人工壁装置では、登攀用の手掛かり又は足掛かりとなるホールドを表側に配設した一対の人工壁と、これら人工壁を、裏側合わせで上端部を連結し、この上端部を中心に下端部を開閉可能に支持する回動支持手段と、前記一対の人工壁の下端部を開閉する開閉手段とを備えたフリークライミング用人工壁装置が開示されている。
また、特開平１０−２７７１８９号の壁登り遊戯具では、パネル支持フレームに壁面形成用のパネルを取付け、そのパネルで形成した壁面を登り降り等する際の手掛かり又は足掛かりとなるホールドを複数種類備え、その各ホールドを上記パネル表面に着脱交換可能に且つパネル平面内で各ホールドの傾斜角度を適宜変更可能に構成した壁登り遊戯具が開示されている。
しかし、上記構成では、それぞれのホールドは、個別にパネルに固定し、あるいはホールドの傾斜角度を変更可能に取り付けており、パネルは表面側にしかホールドを取り付けていなかった。
そこで、裏面側を利用するには、裏面側に別のパネルを設け、そのパネルにホールドを取り付ける必要があり、構造が複雑となり、嵩張ると共に、コストアップを余儀なくされていた。
【先行技術文献】
【特許文献】
【０００３】
【特許文献１】特開２００４−１６６８５１号公報
【特許文献１】特開平１０−２７７１８９号公報
【発明の概要】
【発明が解決しようとする課題】
【０００４】
この発明が解決しようとする課題は、１枚のパネルを挟んで表裏で対向する位置にホールド部が配置され、該一対のホールド部は、パネルを貫通する固定具によって共締めされているので組み立てが用意である。
また、パネルを挟んで、その表裏両面にホールド部が設けられているので、１枚のパネルの表裏両面でクライミング遊びをすることができる。
パネルが透明または半透明であれば、対向する面でクライミングする相手方を視認したり、コミュニケーションを図りながら遊ぶことができ、遊びの楽しみを倍加させることができる。
【課題を解決するための手段】
【０００５】
この発明は、１枚のパネルを挟んで表裏で対向する位置にホールド部を配置し、パネルを貫通する固定具により一対のホールド部をパネルに共締めすることができ、構造の簡易化と信頼性の高さを実現した。
請求項１の発明では、
設置面に立設されたスタンドに取り付けられたパネルと、該パネルに複数配置されてパネルに固定され遊戯者の手または足を掛止めるホールド部とからなるクライミング遊具において、
ホールド部が、パネルを挟んで表裏で対向する位置に配置され、パネルを貫通する固定具により共締めされた一対のホールド部からなっていることを特徴とする。
請求項２の発明では、
前記一対のホールド部は、少なくともパネルに接する面が同一形状に形成されており、各ホールド部は、その上面が、パネル側となる内側が窪み外側が上方へ隆起する形状になっていることを特徴とする。
請求項３の発明では、
前記パネルが透明または半透明からなっていることを特徴とする。
請求項４の発明では、
スタンドが、左右一対の支柱部と、該支柱部の上方に掛け渡された上方横架部と、前記支柱部の下方に掛け渡された下方横架部とからなっており、前記左右一対の支柱部と上方横架部と下方横架部とによって形成された枠体にブラケットを介してパネル本体が固着されていることを特徴とする。
【発明の効果】
【０００６】
この発明のクライミング遊具は、児童などの子供が遊具として使用するものであるのででは、ホールド部はパネルを挟んで対向する位置で固定具により共締めされるので、固定具によるホールド部の支持が強固となり、安全性を高めることができる。
また、パネルへのホールド部の固定が、固定具を一方のホールド部に通しパネルを貫通させ、対向するホールド部に通して共締めすることで、固定することができるので、簡単かつ強固に組み立てることができる。
【図面の簡単な説明】
【０００７】
【図１】クライミング遊具の正面図である。
【図２】同平面図である。
【図３】図１のＡ−Ａ線の一部を省略した断面図である。
【図４】同パネルとホールド部の固定状態を示す一部を省略した断面図である。
【図５】パネルとスタンドの各ブラケットとの固定状態を説明する断面図である。
【発明を実施するための形態】
【０００８】
以下にこの発明のクライミング遊具の好適実施例について図面を参照しながら説明する。
【実施例１】
【０００９】
図１に示すクライミング遊具１０は、設置面に立設されたスタンド１１に取り付けられたパネル１と、該パネル１に複数配置されてパネル１に固定され遊戯者の手または足を掛止めるホールド部５とからなっている。
【００１０】
本実施例でパネル１は、所定の強度を有する厚みに設定された透明な樹脂板またはガラス板からなっている。
上記パネル１には、所定の個所に、ホールド部５を固定するための孔２が穿設されている（図４参照）。
【００１１】
また、パネル１は、スタンド１１に固定されて、設置面上に立設される。
スタンド１１は、左右一対の支柱部１２と、該支柱部１２の上方に掛け渡された上方横架部１３と、前記支柱部１２の下方に掛け渡されて前記上方横架部１３と離間して対峙する下方横架部１４とからなっている。
前記支柱部１２は下部が地中に埋設されて固定されているが、下部にコンクリート塊のような錘を固定して支持したり、緊張させたワイヤを張って固定するなどの構造でもよい。
【００１２】
前記スタンド１１では、本実施例の場合、図３および図５に示すように、上方横架部１３では、パネル１を前後両面で挟み込む下向きのチャンネル状のブラケット１６を固設しておき、該ブラケット１６の溝にパネル１の上端を挟み込んで位置決めする。
【００１３】
また、支柱部１２では、パネル１の側方で一方の面に当接するブラケット１５を固着しておき、パネル１の対応する個所に設けた穴３とブラケット１５との間にボルト２０等の固定具を挿入し、パネル１とブラケット１５をボルト頭部２１とナット２２で緊締して固定する。
【００１４】
下方横架部１４では、図５に示すように、前記支柱部１２のブラケット１５と反対側となる他方のパネル１の面と当接するようにブラケット１７を固設しており、ブラケット１７とパネル１を貫通するボルト２０等の固定具を挿入して緊締している。
これにより、組み立てられたスタンド１１にパネル１を交換可能に固定することができる。
上記パネル１のスタンド１１への固定構造は図示例に限定されず、公知の固定方法を用いてもよい。
【００１５】
上記パネル１に固定されるホールド部５は、パネル１を挟んでパネル１の表面および裏面で対向する位置に一対に配置され、パネル１を貫通する固定具により一対のホールド部５、５が共締めされて、パネル１に固定される。
図示例では、パネル１の上部に手掛け用の小さなホールド部５が配置され、パネル１の下方には足掛け用の大きなホールド部５が配置されているが、この配置は特に限定されない。
【００１６】
上記一対のホールド部５、５は、少なくともパネル１に接する面が同一形状に形成されているので、パネル１を介して一対のホールド部５、５が対称位置で一致するように整合していればよい。
この実施例では、対称に配置される一対のホールド部５、５は同一形状のものが好ましい。
【００１７】
また、ホールド部５は、遊戯者の手掛け、または足掛けとして使用されるので、ホールド部５の上面が、パネル１側となる内側に窪み部６が形成され、外側に上方へ隆起する隆起部７が形成されていることが好ましい（図４参照）。
ホールド部５は正面視で３つの円を重ね合わせたような略三角形からなっている（図１参照）が、ホールド部５の形状は特に限定されるものではなく、公知の形状に置き換えてもよい。
【００１８】
上記ホールド部５を固定するために、本実施例では、左右に離間した位置に２つのボルト孔８、８が形成されている。
即ち、本実施例では、ボルト孔８は、図４で明瞭なように、締付ボルトを挿入してボルト頭部またはナット部を支承する底面を有する凹部８ａと、該凹部８ａの底面の中央で貫通しボルト軸部を通す小径の貫通孔８ｂとからなっている。
【００１９】
そして、上記一対のホールド部５の各貫通孔８ｂをパネル１に形成された孔２に整合するように配置し、一方のホールド部５のボルト孔８にボルト２０を挿通する。
ボルト２０は軸部が貫通孔８ｂを通り、パネル１の孔２を通って、対向する他方のホールド部５の貫通孔８ｂを通り抜けて凹部８ａ内に突出する。
この際にボルト２０の頭部２１は、一方のホールド部５の凹部８ａの底面に支承されるので、他方のホールド部５の凹部８ａ内に突出する軸部先端にナット２２を螺合して緊締することで、ナット２２は他方のホールド部５の貫通孔８ｂの底面で支承され、上記ボルト２０によってパネル１の表裏のホールド部５がパネル１に共締めにより緊締することができる。なお、ボルト頭部２１やナット２２はワッシャを介して固定することが好ましい。
【００２０】
上記実施例では、パネルとして透明なパネルを用いたが、一部が透明なものでよいし、全部または一部が半透明であれば、向かい合って遊ぶ遊戯者を視認することができて興趣を高めることができるが、この発明ではパネルは非透明であってもよい。
また、パネルには、任意の模様を施したものでよいし、パネルに水性インキなど消去可能な筆記具で絵や文字を記載することができるようにしてもよい。
その他、要するにこの発明の要旨を変更しない範囲で種々設計変更しうること勿論である。
【符号の説明】
【００２１】
１    パネル
２    孔部
３    穴部
５    ホールド部
８    ボルト孔
１０    クライミング遊具
１１    スタンド
１２    支柱部
１３    上方横架部
１４    下方横架部
１５〜１７  ブラケット
２０    ボルト
【図１】
2015084873.tif 000003
【図２】
2015084873.tif 000004
【図３】
2015084873.tif 000005
【図４】
2015084873.tif 000006
【図５】
2015084873.tif 000007